(57)【要約】【課題】  ワンタッチで押えカバーをレール本体に取付けて作業性が向上できると共に、確実にフイルムを保持して風によるばたつきや、内圧の上昇による押えスプリングの外れを防止し、施工コストの低減を図った温室組立用フイルム固定具を提供するものである。【解決手段】上部開口部２を狭く形成し、この一方の端部から横方向に延出した下部ビス取付板１３を設けた断面略凹形状のレール本体４と、カバー本体１６の底面に前記開口部２に挿入されて、着脱自在に係合する係合片１７を設けると共に、カバー本体１６の一端側に横方向に延出し、前記下部ビス取付板１３に重なる上部ビス取付板１８を形成した押えカバー１２とから成り、前記レール本体４の内側に挿入して張り渡したフイルム７を覆うように、押えカバー４の係合片１７をレール本体４に嵌合させて押えカバー１２を取付け、上部ビス取付板１８と下部ビス取付板１３とをビス９で固定したものである。【選択図】  図１
0003151889.tif 000002
【実用新案登録請求の範囲】
【請求項１】
上部開口部を狭く形成し、上部開口部の一方の端部から横方向に延出した下部ビス取付板を設けた断面略凹形状のレール本体と、カバー本体の底面に前記レール本体の上部開口部に挿入されて、着脱自在に係合する係合片を設けると共に、カバー本体の一端側に横方向に延出し、前記下部ビス取付板に重なる上部ビス取付板を形成した押えカバーとから成り、前記レール本体の内側に挿入して張り渡したフイルムを覆うように、押えカバーの係合片をレール本体に嵌合させて押えカバーを取付け、この押えカバーの上部ビス取付板とレール本体の下部ビス取付板とをビスで固定するようにしたことを特徴とする温室組立用フイルム固定具。
【請求項２】
請求項１記載の温室組立用フイルム固定具を、上部フイルム固定具とし、上部開口部を狭く形成した断面略凹形状の下部フイルム固定具の上に、その長手方向に沿って重ねて取付け、各フイルム固定具にフイルムを張り渡して、この間に断熱空間部を形成したことを特徴とする温室組立用フイルム固定具。
【請求項３】
請求項１記載の温室組立用フイルム固定具を、上部フイルム固定具とし、上部開口部を狭く形成した断面略凹形状の下部フイルム固定具の上に、ブラケットを介して重ねて取付け、各フイルム固定具にフイルムを張り渡して、この間に断熱空間部を形成したことを特徴とする温室組立用フイルム固定具。                                                                  
【考案の詳細な説明】
【技術分野】
【０００１】
本考案は、温室ハウスの屋根面や壁面を構成するフイルムを固定する温室組立用フイルム固定具に関するものである。
【背景技術】
【０００２】
一般にハウス栽培を行なう温室ハウスの構造は、鉄骨でフレームを組み、ここにたる木状にフイルム固定具を適宜の間隔で取付け、この上を透明なフイルムで覆って固定して建築していた。従来この温室ハウスに使用されていた透明フイルムとしては、塩化ビニール系のフイルムが多く使用されていたが、耐候性、透光性に優れたフッ素系やポリエステル系のフイルムが利用されるようになってきた。
【０００３】
このフイルムを固定するフイルム固定具１Ａとしては、図６に示すように開口部２側を狭く形成し、この開口部２の両縁に外側に湾曲した湾曲部３ａ、３ｂを形成した断面略凹形状をなすレール本体４と、押えカバー６とからなるフイルム固定具（特許文献１）が使用され、レール本体４内に透明なフイルム７を挿入して、波形の押えスプリング８で押えた後、押えカバー６を被せて、ビス９で固定していた。しかしながら従来のフイルム固定具１Ａでは、レール本体４に挿入された弾性の大きいフッ素系フイルム７を押えスプリング８で押えても、弾性により飛び出して確実に固定できない問題があった。
【０００４】
このため、図７に示すように開口部２側を狭く形成し、この開口部２の両縁に外側に湾曲した湾曲部３ａ、３ｂを形成した断面略凹字形状をなすレール本体４と、カバー本体１０の片側に前記レール本体４の一方の湾曲部３ａの外側から開口部２の内側にわたって嵌合する押え湾曲部１１を設けた押えカバー６とからなるフイルム固定具１Ｂ（特許文献１）も開発されている。
【０００５】
これは、レール本体４内に透明なフイルム７を挿入して、波形の押えスプリング８で押えた後、押えカバー６の押え湾曲部１１を、レール本体４の一方の湾曲部２ａの外側から開口部２の内側にわたって嵌合させると共に、レール本体４をビス９で止めて、ビス９の側面を湾曲部３ｂの内側に係合させて取付けるものである。  
【０００６】
しかしながらこの構造はビス９を斜めに取付けて、開口部２を押し広げるように湾曲部３ａの内側に押えカバー６の押え湾曲部１１を嵌合させて固定する構造なので、ビス９の取付け角度の傾斜が少なかったり、レール本体４に力が加わって撓んだりすると、ビス９と湾曲部３ｂの内面との間に隙間ができて係合せず、弾性の大きいフイルム７では押えカバー６が外れてしまうおそれがあった。また押えカバー６を取付けるける時に、押え湾曲部１１をレール本体４の内側に挿入して、押し付けた状態でビス９を取付けるので、施工性が悪い問題があった。また強風が吹くとフイルム７が風でばたつくことがあり、このため従来は、フイルム固定具１Ｂの取付け間隔を６０〜７０ｃｍの間隔で取付けていた。
【０００７】
また温室の屋根面や壁面を２層のフイルム７で構成し、この間に断熱空間部を形成して、温室の断熱効果を高めて省エネルギー化と、温室の内面での結露を防止して作物を保護する二重構造の温室が普及してきた。特に断熱空間部に空気を供給す構造のものでは、従来のフイルム固定具１Ａ、１Ｂでは、内圧が高くなるとフイルム７が持ち上げられて押えカバー６が抜けてフイルム７が支持できなくなる問題があった。
【先行技術文献】
【特許文献】
【０００８】
【特許文献１】特開平７−２８９０９０  図１、図６
【考案の概要】
【考案が解決しようとする課題】
【０００９】
本考案は上記問題を改善し、踏み付けるだけワンタッチで押えカバーをレール本体に取付けることができ作業性を向上できると共に、確実にフイルムを保持して風によるばたつきや内圧の上昇による押えスプリングの外れを防止でき、更に取付け間隔を従来より広く形成して施工コストの低減を図った温室組立用フイルム固定具を提供するものである。
【課題を解決するための手段】
【００１０】
本考案の請求項１記載の温室組立用フイルム固定具は、上部開口部を狭く形成し、上部開口部の一方の端部から横方向に延出した下部ビス取付板を設けた断面略凹形状のレール本体と、カバー本体の底面に前記レール本体の上部開口部に挿入されて、着脱自在に係合する係合片を設けると共に、カバー本体の一端側に横方向に延出し、前記下部ビス取付板に重なる上部ビス取付板を形成した押えカバーとから成り、前記レール本体の内側に挿入して張り渡したフイルムを覆うように、押えカバーの係合片をレール本体に嵌合させて押えカバーを取付け、この押えカバーの上部ビス取付板とレール本体の下部ビス取付板とをビスで固定するようにしたことを特徴とするものである。
【００１１】
本考案の請求項２記載の温室組立用フイルム固定具は、請求項１記載の温室組立用フイルム固定具を、上部フイルム固定具とし、上部開口部を狭く形成した断面略凹形状の下部フイルム固定具の上に、その長手方向に沿って重ねて取付け、各フイルム固定具にフイルムを張り渡して、この間に断熱空間部を形成したことを特徴とするものである。
【００１２】
本考案の請求項３記載の温室組立用フイルム固定具は、請求項１記載の温室組立用フイルム固定具を、上部フイルム固定具とし、上部開口部を狭く形成した断面略凹形状の下部フイルム固定具の上に、ブラケットを介して重ねて取付け、各フイルム固定具にフイルムを張り渡して、この間に断熱空間部を形成したことを特徴とするものである。
【考案の効果】
【００１３】
本考案に係る請求項１記載の温室組立用フイルム固定具によれば、押えカバーをレール本体に重ねて足で踏み付けるだけで、ワンタッチでレール本体と係合することができ、作業性を大幅に向上させることができる。また押えカバーの湾曲した係合片がレール本体の開口部を弾性的に押し広げて係合するので、この間に挟まれた弾性の大きいフイルムでも確実に固定すると共に、押えスプリングの外れを防止して、二重に固定することにより、風によるばたつきも少なくすることができる。この結果、フイルム固定具の取付け間隔を拡大することができ、施工コストの低減を図ることができる。
【００１４】
また請求項２記載の温室組立用フイルム固定具によれば、上、下層２層のフイルム構造にして、この間に断熱空間部が形成されているので、気温の高い夏期でも断熱効果が優れており、小型の冷房機器を設置しても十分な冷房効果が得られ、また気温の低い冬期間においても、大幅に省エネルギー化を図ることができる。更に断熱空間部が形成されていることにより、上層のフイルム層の内面での結露の発生が少なくなり、太陽光線の入射が妨げられにくくなる。またポンプから断熱空間部内に空気を供給する構造でも良い。更に屋根面が１層フイルムの既設のハウスも、上部フイルム固定具を取付けることにより容易に２層構造に改造することができる。
【００１５】
また請求項３記載の温室組立用フイルム固定具によれば、上、下部フイルム固定具の間にブラケットを介して重ねて取付けたので、上、下層のフイルム層の間の断熱空間部を広く形成することができる。
【考案を実施するための最良の形態】
【００１６】
以下本考案の実施の一形態を図１および図２を参照して詳細に説明する。図において１は温室組立用フイルム固定具を示すもので、レール本体４と、この上に被せる押えカバー１２とから構成されている。前記レール本体４はアルミニウムを押出し成形して上部開口部２を狭く形成した断面略凹形状をなし、上部開口部２の一方の端部から横方向に延出した下部ビス取付板１３が形成されている。また上部開口部２の左右両側の湾曲した側壁１４、１４の上部には円形部１５、１５が形成されている。
【００１７】
また押えカバー１２は、カバー本体１６の底面に間隔をおいて湾曲した２個の係合片１７、１７が突設され、レール本体４の円形部１５、１５と着脱自在に係合するようになっている。更にカバー本体１６の一端側は横方向に延出し、前記レール本体４の下部ビス取付板１３に重なる上部ビス取付板１８が形成されている。
【００１８】
上記構成の温室組立用フイルム固定具１は、図１に示すように温室のフレームの上に、これと直交してチャンネル材２０をたる木状に間隔をおいて固定し、これと直交して、レール本体４を配置し、この内側底面をビス９でチャンネル材２０に固定する。
【００１９】
次にレール本体４の上を覆うように透明なフイルム７を張り渡し、レール本体４内にフイルム７を挿入して、波形の押えスプリング８で押えた後、押えカバー１２を被せて、足で踏み付けると、湾曲した係合片１７、１７がレール本体４の開口部２を押し広げて挿入され、円形部１５、１５で係止される。この状態で、下部ビス取付板１３の上に上部ビス取付板１８が重なった状態となる。次に上部ビス取付板１８の上からビス９を取付けて下部ビス取付板１３と接合する。
【００２０】
従って上記構成の温室組立用フイルム固定具１は、押えカバー１２を踏み付けるだけで、ワンタッチでレール本体４と係合することができるので、作業性を大幅に向上させることができる。しかも、押えカバー１２の湾曲した係合片１７、１７がレール本体４の開口部２を弾性的に押し広げて、円形部１５、１５で係合するので、この間に挟まれたフイルム７を確実に固定することができる。このため弾性の大きいフッ素系のフイルム７でも確実に固定できると共に、風によるばたつきも少ないのでフイルム固定具１の取付け間隔を従来の６０〜７０ｃｍから９０ｃｍ程度に拡大することができ、施工コストの低減を図ることができる。
【００２１】
図３は本考案の他の実施の形態を示すもので、チャンネル材２０の上に上部開口部２を狭く形成した断面略凹形状の下部フイルム固定具２２Ｂをビス９で固定して、この上に透明なフイルム７を張り渡し、レール本体４内にフイルム７を挿入して、波形の押えスプリング８で押えて下層のフイルム層２１Ｂを形成する。この後、フイルム固定具１を上部フイルム固定具２２Ａとして図示しないビス９で下部フイルム固定具２２Ｂの上に取付けてから、レール本体４の上を覆うように透明なフイルム７を張り渡し、レール本体４内にフイルム７を挿入して、波形の押えスプリング８で押えて上層のフイルム層２１Ａを形成する。
【００２２】
この後、押えカバー１２を被せて足で踏み付け、湾曲した係合片１７、１７が開口部２を押し広げて挿入され、円形部１５、１５で係止される。次に上部ビス取付板１８の上からビス９を取付けて下部ビス取付板１３と接合して、上、下層のフイルム層２１Ａ、２１Ｂの２層構造にしたものである。
【００２３】
この構造は、上、下層のフイルム層２１Ａ、２１Ｂの２層構造にして、この間に断熱空間部２３が形成されているので、気温の高い夏期でも断熱効果が優れており、小型の冷房機器を設置しても十分な冷房効果が得られ、また気温の低い冬期間においても、大幅に省エネルギー化を図ることができる。更に断熱空間部２３が形成されていることにより、上層のフイルム層２１Ａの内面での結露の発生が少なくなり、太陽光線の入射が妨げられにくくなる。また図示しないポンプから断熱空間部２３内に空気を供給する場合、内圧の上昇による押えカバーの外れを防止することができる。更に屋根面が１層フイルムの既設のハウスも、上部フイルム固定具２２Ａを取付けることにより容易に２層構造に改造することができる。
【００２４】
図４および図５は本考案の異なる他の実施の形態を示すもので、図５において、上、下部フイルム固定具２２Ａ、２２Ｂの間に断面コ字形のブラケット２５を介して重ねて取付けたものである。この構造は、上、下層のフイルム層２１Ａ、２１Ｂの間の断熱空間部２３を広く形成することができる。
【図面の簡単な説明】
【００２５】
【図１】本考案の実施の一形態による温室組立用フイルム固定具の断面図である。
【図２】図１のフイルム固定具にフイルムを取付けた状態を示す斜視図である。
【図３】本考案の他の実施の形態による上、下部フイルム固定具で２層にフイルムを張り渡してこの間に断熱空間部を形成した断面図である。
【図４】本考案の異なる他の実施の形態によるブラケットを介して上、下部フイルム固定具を取付け、ここに２層にフイルムを張り渡してこの間に断熱空間部を形成した断面図である。
【図５】図４の側面図である。
【図６】従来のフイルム固定具を示す断面図である。
【図７】従来の温室組立用フイルム固定具を示す断面図である。
【符号の説明】
【００２６】
１、１Ａ、１Ｂ、フイルム固定具                              
２    開口部                                                
３ａ、３ｂ  湾曲部                                          
４    レール本体                                            
５    ビス孔                                                
６    押えカバー                                            
７    フイルム                                              
８    押えスプリング                                        
９    ビス                                                  
１１  押え湾曲部                                            
１２  押えカバー                                            
１３  下部ビス取付板                                        
１４  側壁                                                  
１５  円形部                                                
１６  カバー本体                                            
１７  係合片                                                
１８  上部ビス取付板                                        
２０  チャンネル材                                          
２１Ａ、２１Ｂ  上、下層のフイルム層                        
２２Ａ、２２Ｂ  上、下部フイルム固定具
２３  断熱空間部                      
２５  ブラケット    
【図１】
0003151889.tif 000003
【図２】
0003151889.tif 000004
【図３】
0003151889.tif 000005
【図４】
0003151889.tif 000006
【図５】
0003151889.tif 000007
【図６】
0003151889.tif 000008
【図７】
0003151889.tif 000009